(57)【要約】【課題】  テレビ電話の送受信処理を開始することができるようになるまでの間のユーザの不安感や不快感を軽減することができるテレビ電話通信端末を得ることを目的とする。【解決手段】  呼接続制御の実施中に、通信相手のテレビ電話通信端末と画像データを交換し、テレビ電話の送受信処理が開始されるまでの間、その通信相手のテレビ電話通信端末から取得した画像データにしたがって画像を表示する。これにより、テレビ電話の送受信処理を開始することができるようになるまでの間のユーザの不安感や不快感を軽減することができる。【選択図】        図１
2006340204.tif 000002
【特許請求の範囲】
【請求項１】
通信相手端末と呼接続制御を実施して、回線を確立する回線確立手段と、上記回線確立手段により回線が確立されたのち、上記通信相手端末とテレビ電話通信に必要なパラメータを交換して、テレビ電話の送受信処理を開始する送受信処理手段と、上記回線確立手段により呼接続制御が実施される際、上記通信相手端末と画面データを交換し、上記送受信処理手段によりテレビ電話の送受信処理が開始されるまでの間、その通信相手端末から取得した画面データにしたがって画面を表示する画面表示手段とを備えたテレビ電話通信端末。
【請求項２】
通信相手端末と呼接続制御を実施して、回線を確立する回線確立手段と、上記回線確立手段により回線が確立されたのち、上記通信相手端末とテレビ電話通信に必要なパラメータを交換して、テレビ電話の送受信処理を開始する送受信処理手段と、上記回線確立手段により呼接続制御が実施される際、上記通信相手端末と画面データが保管されている情報サーバのアドレスを交換して、その情報サーバから画面データをダウンロードし、上記送受信処理手段によりテレビ電話の送受信処理が開始されるまでの間、その画面データにしたがって画面を表示する画面表示手段とを備えたテレビ電話通信端末。
【請求項３】
通信相手端末と呼接続制御を実施して、回線を確立する回線確立手段と、上記回線確立手段により回線が確立されたのち、上記通信相手端末とテレビ電話通信に必要なパラメータを交換して、テレビ電話の送受信処理を開始する送受信処理手段と、上記回線確立手段により呼接続制御が実施される際、通信網から画面データが保管されている情報サーバのアドレスを取得して、その情報サーバから画面データをダウンロードし、上記送受信処理手段によりテレビ電話の送受信処理が開始されるまでの間、その画面データにしたがって画面を表示する画面表示手段とを備えたテレビ電話通信端末。
【発明の詳細な説明】
【技術分野】
【０００１】
この発明は、音声通話機能の他に、テレビ電話の通信機能を備えているテレビ電話通信端末に関するものである。
【背景技術】
【０００２】
従来のテレビ電話通信端末は、通信相手のテレビ電話通信端末と通信を開始する場合、通信相手のテレビ電話通信端末と呼接続制御を実施して回線を確立する。
従来のテレビ電話通信端末は、通信相手のテレビ電話通信端末との間で回線が確立されたのち、通信相手のテレビ電話通信端末とテレビ電話通信に必要なパラメータを交換して、テレビ電話の送受信処理を開始する。
【０００３】
なお、通信相手のテレビ電話通信端末との間で回線が確立されると、課金が発生するが、回線が確立されてから、テレビ電話の送受信処理を開始することができるようになるまでには、数秒から数十秒の時間を要する。
従来のテレビ電話通信端末は、回線が確立されてから、テレビ電話の送受信処理を開始することができるようになるまでの間、内蔵している画像データにしたがって画像（例えば、「接続中」を示す画像）をディスプレイに表示する（例えば、非特許文献１参照）。
【０００４】
【非特許文献１】ＮＴＴ  ＤｏＣｏＭｏ  ＦＯＭＡサービスを利用するための技術参考資料  付録２  Ｐ．１９−２２
【発明の開示】
【発明が解決しようとする課題】
【０００５】
従来のテレビ電話通信端末は以上のように構成されているので、通信相手のテレビ電話通信端末との間で回線が確立されると、課金が発生するにも拘わらず、テレビ電話の送受信処理を開始することができるようになるまでの間、通信相手のテレビ電話通信端末から画像データを取得して相手画像を表示することができない。そのため、ユーザの不安感や不快感を高めてしまうなどの課題があった。
【０００６】
この発明は上記のような課題を解決するためになされたもので、テレビ電話の送受信処理を開始することができるようになるまでの間のユーザの不安感や不快感を軽減することができるテレビ電話通信端末を得ることを目的とする。
【課題を解決するための手段】
【０００７】
この発明に係るテレビ電話通信端末は、回線確立手段により呼接続制御が実施される際、通信相手端末と画面データを交換し、送受信処理手段によりテレビ電話の送受信処理が開始されるまでの間、その通信相手端末から取得した画面データにしたがって画面を表示するようにしたものである。
【発明の効果】
【０００８】
この発明によれば、回線確立手段により呼接続制御が実施される際、通信相手端末と画面データを交換し、送受信処理手段によりテレビ電話の送受信処理が開始されるまでの間、その通信相手端末から取得した画面データにしたがって画面を表示するように構成したので、テレビ電話の送受信処理を開始することができるようになるまでの間のユーザの不安感や不快感を軽減することができる効果がある。
【発明を実施するための最良の形態】
【０００９】
実施の形態１．
図１はこの発明の実施の形態１によるテレビ電話通信端末が適用する通信システムを示す構成図であり、図において、テレビ電話通信端末１は発信側の端末であり、テレビ電話通信端末２は着信側の端末である。テレビ電話通信端末１とテレビ電話通信端末２はネットワーク３に接続されている。
ネットワーク３はテレビ電話通信端末１とテレビ電話通信端末２を相互に接続する通信網である。
【００１０】
図２はこの発明の実施の形態１によるテレビ電話通信端末を示す構成図である。なお、テレビ電話通信端末１とテレビ電話通信端末２は基本的に同一の構成である。
図において、ユーザ操作部１１は例えば電話番号や文字などを入力する操作キーを有するほか、その操作内容や画像などを表示するディスプレイ等を有するマンマシンインタフェースである。
設定保持部１２はテレビ電話の送受信処理が開始される前に、通信相手のテレビ電話通信端末と画像データ（画面データ）の交換を実施するか否か示す設定内容などを保持しているメモリである。
データ保持部１３はテレビ電話の送受信処理が開始される前に、通信相手のテレビ電話通信端末に送信する画像データを保持する一方、通信相手のテレビ電話通信端末から送信された画像データを一時的に保持するメモリである。
この実施の形態１では、画面データとして画像データを交換する例を説明するが、画面データとしてテキストデータを交換するようにしてもよい。また、画面データとして画像データとテキストデータの双方を交換するようにしてもよい。
【００１１】
無線通信部１４はネットワーク３に対するインタフェースであり、通信相手のテレビ電話通信端末とデータの送受信を実施する。
呼制御部１５は無線通信部１４を介して通信相手のテレビ電話通信端末と呼接続制御を実施して回線を確立し、回線の確立後に、通信相手のテレビ電話通信端末とテレビ電話通信に必要なパラメータを交換して、テレビ電話の送受信処理を開始する。また、呼制御部１５は画像データの交換を実施する旨を示す設定内容が設定保持部１２に保持されている場合、呼接続制御の実施中に、無線通信部１４を介して、データ保持部１３に保持されている画像データを通信相手のテレビ電話通信端末に送信する一方、通信相手のテレビ電話通信端末から送信された画像データを受信し、テレビ電話の送受信処理が開始されるまでの間、その画像データをユーザ操作部１１のディスプレイに表示する処理を実施する。
なお、無線通信部１４及び呼制御部１５から回線確立手段と送受信処理手段が構成されており、ユーザ操作部１１、設定保持部１２、データ保持部１３、無線通信部１４及び呼制御部１５から画面表示手段が構成されている。
【００１２】
図４はこの発明の実施の形態１によるテレビ電話通信端末の処理内容を示すシーケンス図である。
図３は画像データの交換を実施する旨を示す設定内容が設定保持部１２に保持されていない場合のテレビ電話通信端末（従来のテレビ電話通信端末に相当）の処理内容を示すシーケンス図である。
【００１３】
次に動作について説明する。
例えば、テレビ電話通信端末１のユーザが、テレビ電話通信端末１のユーザ操作部１１を操作することにより、呼制御部１５が無線通信部１４を介して発信要求をテレビ電話通信端末２に送信すると、テレビ電話通信端末２の呼制御部１５が無線通信部１４を介して発信要求を受信する。
この際、発信側のテレビ電話通信端末１の呼制御部１５は、「発信中」である旨を示す発信中画面をユーザ操作部１１のディスプレイに表示し、着信側のテレビ電話通信端末２の呼制御部１５は、「着信中」である旨を示す着信中画面をユーザ操作部１１のディスプレイに表示する。
【００１４】
発信側のテレビ電話通信端末１の呼制御部１５と、着信側のテレビ電話通信端末２の呼制御部１５は、回線を確立するために、ネットワーク３を介して、相互に呼接続制御処理を実施する。
発信側のテレビ電話通信端末１の呼制御部１５は、画像データの交換を実施する旨を示す設定内容が設定保持部１２に保持されている場合、図４に示すように、テレビ電話通信端末２と呼接続制御を実施しているとき、無線通信部１４を介して、データ保持部１３に保持されている画像データ（図４の例では、画像データＡ）をテレビ電話通信端末２に送信する。
例えば、Ｗ−ＣＤＭＡサービスにおいては、“３ＧＰＰ  ＴＳ２４．００８”に規定されている「Ｕｓｅｒ  Ｉｎｆｏｒｍａｔｉｏｎ」メッセージを用いて、エンド−エンドのユーザ間で情報伝達を行うことにより、データ保持部１３に保持されている画像データＡをテレビ電話通信端末２に送信する。
【００１５】
テレビ電話通信端末２の呼制御部１５は、無線通信部１４がテレビ電話通信端末１から送信された画像データＡを受信すると、その画像データＡをデータ保持部１３に一時的に保持するとともに、そのデータ保持部１３に保持されている画像データ（図４の例では、画像データＢ）をテレビ電話通信端末１に送信する。
テレビ電話通信端末１の呼制御部１５は、無線通信部１４がテレビ電話通信端末２から送信された画像データＢを受信すると、その画像データＢをデータ保持部１３に一時的に保持する。
【００１６】
このようにして、テレビ電話通信端末１，２が画像データＡ，Ｂを交換すると、テレビ電話通信端末１の呼制御部１５は、図４に示すように、データ保持部１３に一時的に保持されている画像データＢにしたがって相手画像（例えば、テレビ電話通信端末２のユーザが撮影された静止画）を示す通信条件交渉画面をユーザ操作部１１のディスプレイに表示する。
また、テレビ電話通信端末２の呼制御部１５は、図４に示すように、データ保持部１３に一時的に保持されている画像データＡにしたがって相手画像（例えば、テレビ電話通信端末１のユーザが撮影された静止画）を示す通信条件交渉画面をユーザ操作部１１のディスプレイに表示する。
【００１７】
発信側のテレビ電話通信端末１の呼制御部１５と、着信側のテレビ電話通信端末２の呼制御部１５は、呼接続制御処理を実施して回線が確立すると、無線通信部１４を介して、通信相手のテレビ電話通信端末とテレビ電話通信に必要なパラメータを交換する。
発信側のテレビ電話通信端末１の呼制御部１５と、着信側のテレビ電話通信端末２の呼制御部１５は、テレビ電話通信に必要なパラメータを交換して、通信相手のテレビ電話通信能力を確認することにより、テレビ電話の送受信処理を開始することができる状態になると、実際に、テレビ電話の送受信処理を開始する。
【００１８】
テレビ電話通信端末１の呼制御部１５は、テレビ電話の送受信処理を開始して、無線通信部１４がテレビ電話通信端末２から送信された画像データを受信すると、上記の通信条件交渉画面の代わりに、その画像データにしたがって通信中画像（例えば、テレビ電話通信端末２の図示せぬカメラにより撮影された動画像）を示す通信中画面をユーザ操作部１１のディスプレイに表示する。図４の例では、自己の画像（例えば、テレビ電話通信端末１の図示せぬカメラにより撮影された動画像）も通信中画面の一部に表示している。
また、テレビ電話通信端末２の呼制御部１５は、テレビ電話の送受信処理を開始して、無線通信部１４がテレビ電話通信端末１から送信された画像データを受信すると、上記の通信条件交渉画面の代わりに、その画像データにしたがって通信中画像（例えば、テレビ電話通信端末１の図示せぬカメラにより撮影された動画像）を示す通信中画面をユーザ操作部１１のディスプレイに表示する。図４の例では、自己の画像（例えば、テレビ電話通信端末２の図示せぬカメラにより撮影された動画像）も通信中画面の一部に表示している。
【００１９】
このように画像データの交換を実施する旨を示す設定内容が設定保持部１２に保持されている場合、テレビ電話の送受信処理を開始することができるようになるまでの間、相手画像を示す通信条件交渉画面をユーザ操作部１１のディスプレイに表示することができるので、ユーザの不安感や不快感を軽減することができる。
一方、図３に示すように、画像データの交換を実施する旨を示す設定内容が設定保持部１２に保持されていない場合（従来のテレビ電話通信端末に相当）、テレビ電話の送受信処理を開始することができるようになるまでの間、相手画像は表示されず、単に「接続中」を示す通信条件交渉画面がユーザ操作部１１のディスプレイに表示されるだけであるため、ユーザの不安感や不快感を抑えることができない。
【００２０】
以上で明らかなように、この実施の形態１によれば、呼接続制御の実施中に、通信相手のテレビ電話通信端末と画像データを交換し、テレビ電話の送受信処理が開始されるまでの間、その通信相手のテレビ電話通信端末から取得した画像データにしたがって画像を表示するように構成したので、テレビ電話の送受信処理を開始することができるようになるまでの間のユーザの不安感や不快感を軽減することができる効果を奏する。
なお、この実施の形態１では、画像データを交換して画像を表示するものについて示したが、画像データの代わりに、テキストデータを交換し、そのテキストデータにしたがってテキストを表示するようにしてもよい。
【００２１】
実施の形態２．
図５はこの発明の実施の形態２によるテレビ電話通信端末が適用する通信システムを示す構成図であり、図において、図１と同一符号は同一または相当部分を示すので説明を省略する。
情報サーバ４はあらかじめ通信相手のテレビ電話通信端末１，２に送信する画像データＢ，Ａを記憶し、テレビ電話通信端末１からアクセスを受けると、その画像データＢをテレビ電話通信端末１に配信し、テレビ電話通信端末２からアクセスを受けると、その画像データＡをテレビ電話通信端末２に配信する処理を実施する。
この実施の形態２では、画面データとして画像データを配信するものについて説明するが、画面データとしてテキストデータを配信するようにしてもよい。また、画面データとして画像データとテキストデータの双方を配信するようにしてもよい。
図６はこの発明の実施の形態２によるテレビ電話通信端末の処理内容を示すシーケンス図である。
【００２２】
次に動作について説明する。
例えば、テレビ電話通信端末１のユーザが、テレビ電話通信端末１のユーザ操作部１１を操作することにより、呼制御部１５が無線通信部１４を介して発信要求をテレビ電話通信端末２に送信すると、テレビ電話通信端末２の呼制御部１５が無線通信部１４を介して発信要求を受信する。
この際、発信側のテレビ電話通信端末１の呼制御部１５は、「発信中」である旨を示す発信中画面をユーザ操作部１１のディスプレイに表示し、着信側のテレビ電話通信端末２の呼制御部１５は、「着信中」である旨を示す着信中画面をユーザ操作部１１のディスプレイに表示する。
【００２３】
発信側のテレビ電話通信端末１の呼制御部１５と、着信側のテレビ電話通信端末２の呼制御部１５は、回線を確立するために、ネットワーク３を介して、相互に呼接続制御処理を実施する。
発信側のテレビ電話通信端末１の呼制御部１５は、画像データの交換を実施する旨を示す設定内容が設定保持部１２に保持されている場合、図６に示すように、テレビ電話通信端末２と呼接続制御を実施しているとき、無線通信部１４を介して、データ保持部１３に保持されている情報サーバ４のアドレスと、その情報サーバ４に保持されている画像を指定する画像指定情報を含むＵＲＬ情報（図６の例では、ＵＲＬ情報Ａ）をテレビ電話通信端末２に送信する。
【００２４】
テレビ電話通信端末２の呼制御部１５は、無線通信部１４がテレビ電話通信端末１から送信されたＵＲＬ情報Ａを受信すると、そのＵＲＬ情報Ａに含まれているアドレスを参照して情報サーバ４にアクセスし、情報サーバ４からＵＲＬ情報Ａに含まれている画像指定情報が示す画像データＡをダウンロードしてデータ保持部１３に一時的に保存する。
また、テレビ電話通信端末２の呼制御部１５は、データ保持部１３に保持されているＵＲＬ情報（図６の例では、ＵＲＬ情報Ｂ）をテレビ電話通信端末１に送信する。
【００２５】
テレビ電話通信端末１の呼制御部１５は、無線通信部１４がテレビ電話通信端末２から送信されたＵＲＬ情報Ｂを受信すると、そのＵＲＬ情報Ｂに含まれているアドレスを参照して情報サーバ４にアクセスし、情報サーバ４からＵＲＬ情報Ｂに含まれている画像指定情報が示す画像データＢをダウンロードしてデータ保持部１３に一時的に保存する。
【００２６】
このようにして、テレビ電話通信端末１，２が情報サーバ４から画像データＢ，Ａを取得すると、テレビ電話通信端末１の呼制御部１５は、図６に示すように、データ保持部１３に一時的に保持されている画像データＢにしたがって相手画像（例えば、通信相手の会社のホームページ）を示す通信条件交渉画面をユーザ操作部１１のディスプレイに表示する。
また、テレビ電話通信端末２の呼制御部１５は、図６に示すように、データ保持部１３に一時的に保持されている画像データＡにしたがって相手画像（例えば、通信相手の会社のホームページ）を示す通信条件交渉画面をユーザ操作部１１のディスプレイに表示する。
【００２７】
発信側のテレビ電話通信端末１の呼制御部１５と、着信側のテレビ電話通信端末２の呼制御部１５は、呼接続制御処理を実施して回線が確立すると、上記実施の形態１と同様に、無線通信部１４を介して、通信相手のテレビ電話通信端末とテレビ電話通信に必要なパラメータを交換する。
発信側のテレビ電話通信端末１の呼制御部１５と、着信側のテレビ電話通信端末２の呼制御部１５は、テレビ電話通信に必要なパラメータを交換して、通信相手のテレビ電話通信能力を確認することにより、テレビ電話の送受信処理を開始することができる状態になると、実際に、テレビ電話の送受信処理を開始する。
【００２８】
テレビ電話通信端末１の呼制御部１５は、テレビ電話の送受信処理を開始して、無線通信部１４がテレビ電話通信端末２から送信された画像データを受信すると、上記実施の形態１と同様に、上記の通信条件交渉画面の代わりに、その画像データにしたがって通信中画像（例えば、テレビ電話通信端末２の図示せぬカメラにより撮影された動画像）を示す通信中画面をユーザ操作部１１のディスプレイに表示する。
また、テレビ電話通信端末２の呼制御部１５は、テレビ電話の送受信処理を開始して、無線通信部１４がテレビ電話通信端末１から送信された画像データを受信すると、上記実施の形態１と同様に、上記の通信条件交渉画面の代わりに、その画像データにしたがって通信中画像（例えば、テレビ電話通信端末１の図示せぬカメラにより撮影された動画像）を示す通信中画面をユーザ操作部１１のディスプレイに表示する。
【００２９】
以上で明らかなように、この実施の形態２によれば、呼接続制御の実施中に、通信相手のテレビ電話通信端末と情報サーバ５のアドレスを含むＵＲＬ情報を交換して、その情報サーバ４から画像データをダウンロードし、テレビ電話の送受信処理が開始されるまでの間、その画像データにしたがって画像を表示するように構成したので、テレビ電話の送受信処理を開始することができるようになるまでの間のユーザの不安感や不快感を軽減することができる効果を奏する。
【００３０】
実施の形態３．
図７はこの発明の実施の形態３によるテレビ電話通信端末が適用する通信システムを示す構成図であり、図において、図５と同一符号は同一または相当部分を示すので説明を省略する。
呼管理処理装置５は例えばテレビ電話通信端末１の契約内容を判定し、通信能力の交換時にテレビ電話通信端末１がネットワーク３から提供される情報を許容している端末であれば、テレビ電話通信端末１，２間の呼接続制御時に、画面データを保持している情報サーバ４のアドレスを含むＵＲＬ情報をテレビ電話通信端末１，２に送信する処理を実施する。
この実施の形態３では、画面データとして画像データを保持している情報サーバ４のアドレスを含むＵＲＬ情報を送信するものについて説明するが、画面データとしてテキストデータを保持している情報サーバ４のアドレスを含むＵＲＬ情報を送信するようにしてもよい。また、画面データとして画像データとテキストデータの双方を保持している情報サーバ４のアドレスを含むＵＲＬ情報を送信するようにしてもよい。
図８はこの発明の実施の形態２によるテレビ電話通信端末の処理内容を示すシーケンス図である。
【００３１】
次に動作について説明する。
例えば、テレビ電話通信端末１のユーザが、テレビ電話通信端末１のユーザ操作部１１を操作することにより、呼制御部１５が無線通信部１４を介して発信要求をテレビ電話通信端末２に送信すると、テレビ電話通信端末２の呼制御部１５が無線通信部１４を介して発信要求を受信する。
この際、発信側のテレビ電話通信端末１の呼制御部１５は、「発信中」である旨を示す発信中画面をユーザ操作部１１のディスプレイに表示し、着信側のテレビ電話通信端末２の呼制御部１５は、「着信中」である旨を示す着信中画面をユーザ操作部１１のディスプレイに表示する。
【００３２】
発信側のテレビ電話通信端末１の呼制御部１５と、着信側のテレビ電話通信端末２の呼制御部１５は、回線を確立するために、ネットワーク３を介して、相互に呼接続制御処理を実施する。
呼管理処理装置５は、テレビ電話通信端末１，２が呼接続制御処理を開始すると、例えばテレビ電話通信端末１の契約内容を判定し、通信能力の交換時にテレビ電話通信端末１がネットワーク３から提供される情報を許容している端末であれば、テレビ電話通信端末１，２間の呼接続制御時に、画像データを保持している情報サーバ４のアドレスを含むＵＲＬ情報をテレビ電話通信端末１，２に送信する処理を実施する。
即ち、呼管理処理装置５は、情報サーバ４のアドレスと、その情報サーバ４に保持されている画像を指定する画像指定情報を含むＵＲＬ情報（図８の例では、ＵＲＬ情報Ａ）をテレビ電話通信端末２に送信し、情報サーバ４のアドレスと、その情報サーバ４に保持されている画像を指定する画像指定情報を含むＵＲＬ情報（図８の例では、ＵＲＬ情報Ｂ）をテレビ電話通信端末１に送信する。
【００３３】
ここでは、呼管理処理装置５は、テレビ電話通信端末１の契約内容を判定し、通信能力の交換時にテレビ電話通信端末１がネットワーク３から提供される情報を許容している端末であれば、ＵＲＬ情報をテレビ電話通信端末１，２に送信するものについて示したが、これに限るものではなく、例えば、テレビ電話通信端末１から発信される電話番号の前に所定の番号が含められている場合に、ＵＲＬ情報をテレビ電話通信端末１，２に送信するようにしてもよい。
【００３４】
テレビ電話通信端末２の呼制御部１５は、無線通信部１４が呼管理処理装置５から送信されたＵＲＬ情報Ａを受信すると、そのＵＲＬ情報Ａに含まれているアドレスを参照して情報サーバ４にアクセスし、情報サーバ４からＵＲＬ情報Ａに含まれている画像指定情報が示す画像データＡをダウンロードしてデータ保持部１３に一時的に保存する。
また、テレビ電話通信端末１の呼制御部１５は、無線通信部１４が呼管理処理装置５から送信されたＵＲＬ情報Ｂを受信すると、そのＵＲＬ情報Ｂに含まれているアドレスを参照して情報サーバ４にアクセスし、情報サーバ４からＵＲＬ情報Ｂに含まれている画像指定情報が示す画像データＢをダウンロードしてデータ保持部１３に一時的に保存する。
【００３５】
このようにして、テレビ電話通信端末１，２が情報サーバ４から画像データＢ，Ａを取得すると、テレビ電話通信端末１の呼制御部１５は、図８に示すように、データ保持部１３に一時的に保持されている画像データＢにしたがって画像（例えば、通信相手の会社のホームページ）を示す通信条件交渉画面をユーザ操作部１１のディスプレイに表示する。
また、テレビ電話通信端末２の呼制御部１５は、図８に示すように、データ保持部１３に一時的に保持されている画像データＡにしたがって画像（例えば、通信相手の会社のホームページ）を示す通信条件交渉画面をユーザ操作部１１のディスプレイに表示する。
【００３６】
発信側のテレビ電話通信端末１の呼制御部１５と、着信側のテレビ電話通信端末２の呼制御部１５は、呼接続制御処理を実施して回線が確立すると、上記実施の形態１と同様に、無線通信部１４を介して、通信相手のテレビ電話通信端末とテレビ電話通信に必要なパラメータを交換する。
発信側のテレビ電話通信端末１の呼制御部１５と、着信側のテレビ電話通信端末２の呼制御部１５は、テレビ電話通信に必要なパラメータを交換して、通信相手のテレビ電話通信能力を確認することにより、テレビ電話の送受信処理を開始することができる状態になると、実際に、テレビ電話の送受信処理を開始する。
【００３７】
テレビ電話通信端末１の呼制御部１５は、テレビ電話の送受信処理を開始して、無線通信部１４がテレビ電話通信端末２から送信された画像データを受信すると、上記実施の形態１と同様に、上記の通信条件交渉画面の代わりに、その画像データにしたがって通信中画像（例えば、テレビ電話通信端末２の図示せぬカメラにより撮影された動画像）を示す通信中画面をユーザ操作部１１のディスプレイに表示する。
また、テレビ電話通信端末２の呼制御部１５は、テレビ電話の送受信処理を開始して、無線通信部１４がテレビ電話通信端末１から送信された画像データを受信すると、上記実施の形態１と同様に、上記の通信条件交渉画面の代わりに、その画像データにしたがって通信中画像（例えば、テレビ電話通信端末１の図示せぬカメラにより撮影された動画像）を示す通信中画面をユーザ操作部１１のディスプレイに表示する。
【００３８】
以上で明らかなように、この実施の形態３によれば、呼接続制御の実施中に、通信網である呼管理処理装置５から画像データが保管されている情報サーバ４のアドレスを含むＵＲＬ情報を取得して、その情報サーバ４から画像データをダウンロードし、テレビ電話の送受信処理が開始されるまでの間、その画像データにしたがって画像を表示するように構成したので、テレビ電話の送受信処理を開始することができるようになるまでの間のユーザの不安感や不快感を軽減することができる効果を奏する。
【図面の簡単な説明】
【００３９】
【図１】この発明の実施の形態１によるテレビ電話通信端末が適用する通信システムを示す構成図である。
【図２】この発明の実施の形態１によるテレビ電話通信端末を示す構成図である。
【図３】画像データの交換を実施する旨を示す設定内容が設定保持部１２に保持されていない場合のテレビ電話通信端末（従来のテレビ電話通信端末に相当）の処理内容を示すシーケンス図である。
【図４】この発明の実施の形態１によるテレビ電話通信端末の処理内容を示すシーケンス図である。
【図５】この発明の実施の形態２によるテレビ電話通信端末が適用する通信システムを示す構成図である。
【図６】この発明の実施の形態２によるテレビ電話通信端末の処理内容を示すシーケンス図である。
【図７】この発明の実施の形態３によるテレビ電話通信端末が適用する通信システムを示す構成図である。
【図８】この発明の実施の形態３によるテレビ電話通信端末の処理内容を示すシーケンス図である。
【符号の説明】
【００４０】
１  テレビ電話通信端末、２  テレビ電話通信端末、３  ネットワーク、４  情報サーバ、５  呼管理処理装置（通信網）、１１  ユーザ操作部（画面表示手段）、１２  設定保持部（画面表示手段）、１３  データ保持部（画面表示手段）、１４  無線通信部（回線確立手段、送受信処理手段、画面表示手段）、１５  呼制御部（回線確立手段、送受信処理手段、画面表示手段）。
【図１】
2006340204.tif 000003
【図２】
2006340204.tif 000004
【図３】
2006340204.tif 000005
【図４】
2006340204.tif 000006
【図５】
2006340204.tif 000007
【図６】
2006340204.tif 000008
【図７】
2006340204.tif 000009
【図８】
2006340204.tif 000010